(57)【要約】【課題】屋根面への縦桟用テープや桟木等の位置決め部材の取り付け工程を極力省略して瓦を固定することが可能な屋根瓦の施工方法を提供する。【解決手段】本発明に係る基準瓦Ｍ１の被さり部７表面の尻部４寄りに設けられた突条の表面係止部１７と裏面の頭部３寄りの部位に設けられた裏面被係止部２４とを係止させるとともに、前記基準瓦Ｍ１の尻側に設けられたフック部１６と、前記桟瓦Ｕ２の差込部８に設けられた被係止部１９とを係合させる。これより、前記上下段隣接桟瓦は、２ヶ所で係止され、位置決めされ、横方向、上段方向に桟瓦の施工が可能となる。よって屋根面に対する瓦桟木のとめ付け工程を省略して施工性を向上させるとともに、部材の使用量を減らし環境問題についても考慮させているという優れた効果を発揮する。【選択図】        図５
2004232199.tif 000002
【特許請求の範囲】
【請求項１】
瓦を位置決めする位置決め手段が存在しない勾配屋根の屋根面に基準瓦を位置決めして固定し、次いで前記基準瓦に倣って前記屋根面に複数枚の倣い瓦を面状に展開して葺くことを特徴とする屋根瓦の施工方法。
【請求項２】
前記基準瓦が前記屋根面に対して接合材で固定される請求項１記載の屋根瓦の施工方法。
【請求項３】
前記基準瓦及び倣い瓦のそれぞれは、上下段で隣接する基準瓦及び倣い瓦に係止する係止部と係止される被係止部とを備えている請求項１記載の屋根瓦の施工方法。
【請求項４】
前記接合材が接着剤である請求項２記載の瓦の施工方法。
【請求項５】
前記基準瓦が係止材で固定される請求項１記載の瓦の施工方法。
【請求項６】
前記係止材が桟木である請求項５記載の瓦の施工方法。
【請求項７】
前記係止材が釘である請求項５記載の瓦の施工方法。
【発明の詳細な説明】
【０００１】
【発明が属する技術分野】
本発明は、屋根面へ桟瓦を施工する前に敷設する縦桟用テープや瓦桟木等の位置決め手段を用いることなく瓦を固定する屋根瓦の施工方法に関するものである。
【０００２】
【従来の技術】
【特許文献】特開平１０−２５９６４８号公報
従来から、屋根面に屋根瓦を葺くとき、いわゆる桟木引っ掛け工法が一般的に採用されている。この工法は、屋根面に杉材等の木材または樹脂材質の瓦桟木を瓦の働き長さ間隔ごとにて打ち付け、屋根瓦の裏面に設けた引っ掛け部を前記瓦桟木に引っかけて位置決めをして屋根瓦を屋根面に固定する施工方法である。この施工方法は、屋根瓦の位置決めが簡単でズレが生じないという効果を発揮する。
【０００３】
【発明が解決しようとする課題】
ところが、前記桟木引っ掛け工法では、屋根面に防水シート及び縦残用テープを敷設するとともに、その屋根面全体に桟木を瓦の働き長さに全て打ち付けなければならないので、屋根施工部材を多く必要とし、更に施工に時間がかかるという問題がある。また、屋根面に桟木を釘等を用いて打ち付けなければならないため、屋根面に敷設した防水シートを傷付けて防水性能を低下させるだけでなく、家屋躯体の耐久性能を低下させる問題がある。桟木についても同様で経年変化により劣化し、位置決め機能が低下する恐れがある。
【０００４】
そこで本発明者は、勾配屋根の屋根面に屋根瓦を葺く前に敷設する縦残用テープや桟木等の位置決め部材を用いることなく瓦を固定できる屋根瓦の施工方法を提案すべく、鋭意、研究した結果、勾配屋根の野地板の所定位置に基準瓦をまず正確に位置決め固定し、その基準瓦に倣って複数枚の倣い瓦を面状に展開して葺けばよいという事実を見出し、本発明を完成した。従って、本発明の課題は、屋根面への縦桟用テープや桟木等の位置決め部材の取付け工程を極力省略して瓦を固定することが可能な屋根瓦の施工方法を提供することにある。
【０００５】
【課題を解決するための手段】
本請求項１発明は、前記の課題を解決するために、瓦を位置決めする位置決め手段が存在しない勾配屋根の屋根面に基準瓦を位置決めして固定し、次いで前記基準瓦に倣って前記屋根面に複数枚の倣い瓦を面状に展開して葺くという手段を採用する。
【０００６】
前記手段を採用することにより、屋根面に桟木を全て打ち付けることなく施工を可能にするので、部材を少なくすることができるとともに、施工時間も短縮することが出来る。また、桟木を用いないことにより桟木固定釘によって屋根面に敷設した防水シートを傷つけることがなくなるので防水性能を保つことができる。
【０００７】
本請求項２発明は、前記基準瓦が前記屋根面に対して接合材で固定されるという手段を採用する。この手段を採用することにより前記基準瓦を屋根面に固定する際、より容易にかつ正確に固定することが出来る。
【０００８】
本請求項３発明は、前記基準瓦及び倣い瓦のそれぞれは、上下段で隣接する倣い瓦に係止する係止部と係止される被係止部とを備えているという手段を採用する。この手段を採用することにより瓦本体の位置決め機能を果たす瓦桟木、瓦桟木に雨水がたまらないように屋根面と瓦桟木との間でスペーサーの役割を果たす縦桟用テープを屋根面に留め付けることなく上隣桟瓦の位置決めを可能にする。
【０００９】
【発明の実施の形態】
以下、本発明の一実施例を図面に基づいて説明する。図１、図２、図３及び図４に示すように、本発明に係る基準瓦Ｍ１の主体である瓦本体２は、上面からみて長方形形状となす陶板からできている。そして、前記基準瓦Ｍ１が建物の屋根を構成する屋根面上に葺かれるとき、周知のように軒先側に位置する部位が頭部３となり、棟側に位置する部位が尻部４となる。さらに、図５に示すように、前記頭部３と尻部４の端面にほぼ垂直に形成される二つの側縁のうち、右側縁５寄りの側部が基準瓦Ｍ１と同一段で葺かれる右隣接瓦Ｒに対する被さり部７となり、左側縁６寄りの側部が前記同様に葺かれる左隣接瓦Ｌの被さり部７に差し込まれる差込部８になっている。
【００１０】
再度、図１、図２、図３及び図４に戻って説明すると、前記瓦本体２の尻部４の上縁には、前記被さり部７の右側縁５から差込部８の左側縁６まで連続した尻部水返し１１が形成されており、前記基準瓦Ｍ１の上段に葺かれる上段瓦においてその頭部３の裏面側に吹き込まれる雨水の侵入を防止するようになっている。なお、前記尻部水返し１１において尻部端面１２寄りの部位には、表面側の一部分を下方に押し出すことにより、所定間隔をおいて裏面側に窪んだ凹部１３ａ、１３ｂが形成されているとともに、裏面側に台形状に突出する尻部突起１４ａ、１４ｂが形成されている（図４参照）。また、前記尻部水返し１１には前記基準瓦Ｍ１を屋根面にとめ付けるための釘孔１５ａ、１５ｂが設けられ、当該基準瓦Ｍを屋根面にとめ付けるための釘が挿通可能になっている。そして、前記瓦本体２の被さり部７表面の尻部４寄りの部位には、突条の表面係止部１７が設けられており、図５に示すように、前記基準瓦Ｍ１の上段に千鳥葺きされる上段瓦Ｕ２裏面の頭部３寄りの部位に設けられた裏面被係止部２４と係合可能になっている。
【００１１】
さらに前記水返し１１においてその中央部の幾分差込部８寄りには、鉤状のフック部１６が突設されている。また前記差込部８の左側縁６に沿って突条の水返し１８が形成されている。しかし前記頭部３にまで延出した水返し１８の一部分は前記左側縁６を部分的に迂回するように屈曲して、前記左下隣接瓦Ｌにおいて形成されているフック部１６が係止可能な被係止部１９を形成している。
【００１２】
従って本発明に使用される基準瓦Ｍ１は、図５に示すように、前記フック部１６、被係止部１９及び表面係止部１７が、同様にフック部１６、被係止部１９及び表面係止部１７を有する左隣接瓦Ｌ及び右隣接瓦Ｒ、並びにこれら基準瓦Ｍ１、左隣接瓦Ｌ及び右隣接瓦Ｒの１段上で千鳥葺きされる上段瓦Ｕ１、Ｕ２、Ｕ３の被係止部１９、フック部１６及び裏面被係止部２４と関わり合っているのである。言い換えれば基準瓦Ｍ１、左隣接瓦Ｌ、右隣接瓦Ｒ及び上段瓦Ｕ１、Ｕ２、Ｕ３が所定距離をおいて２箇所で隣接する瓦と係合して屋根面上において相対的にずれ防止されているのである。従って、本発明においては、屋根面上に前記基準瓦Ｍ１だけ桟木で代表される瓦の位置決め手段で固定し、その基準瓦Ｍ１に倣って左隣接瓦Ｌ、右隣接瓦Ｒ及び上段瓦Ｕ１、Ｕ２、Ｕ３を屋根面上に面状に展開して葺けば、前記屋根面上には基準瓦Ｍ１を固定する桟木だけ使用し、他の瓦を葺くときには桟木が不要になるという技術思想を採用する。かかる意味において、本発明では前記左隣接瓦Ｌ、右隣接瓦Ｒ及び上段瓦Ｕ１、Ｕ２、Ｕ３も前記基準瓦Ｍ１と同様の瓦であるが、相互作用を説明するため倣い瓦という。
【００１３】
さらに具体的に本発明法を詳述する。以下、本発明に係る瓦本体１の作用、効果について説明する。図５に示すように、屋根面２４にルーフィング２５を敷設している状態にあるとする。前記基準瓦Ｍ１の施工を行うにあたり、位置決めするために瓦桟木２６を桁行方向に所定の幅で屋根面に取り付ける。この際、瓦桟木２６に雨水が溜まらないように屋根面２４と瓦桟木２６との間でスペーサーの役割を果たす縦桟用テープ２７も所定の幅をあけて野地面に取り付ける。次に、前記基準瓦Ｍ１の留め付けを行う。この際、先に屋根面に取り付けた前記瓦桟木２６に前記基準瓦Ｍ１裏面の尻部突起１３ａ、１３ｂを引っ掛けて位置決めをする（図６参照）。
【００１４】
次いで図７に示すように前記基準瓦Ｍ１に倣って右に隣接する桟瓦となる右隣接瓦Ｒを留め付ける。前記右隣接瓦Ｒの差込部８を前記基準瓦Ｍ１の被さり部７に差し込み、前記基準瓦Ｍ１と右隣接瓦Ｒの尻部端面１２を合わせて葺く。この動作を反復することにより前記基準瓦Ｍ１の被さり部７側に隣接する瓦の施工は可能となる。同様にして、前記基準瓦Ｍ１に倣って左に隣接する桟瓦となる左隣接瓦Ｌを留め付ける。まず、前記基準瓦Ｍ１の差込部８に左隣接瓦Ｌの被さり部７を被せると同時に尻部端面１２に合わせて施工する。すると、前記基準瓦Ｍ１を留め付けた同段の瓦は全て施工可能となる。
【００１５】
次に、前記基準瓦Ｍ１の被さり部７表面の尻部４寄りに設けられた突条の表面係止部１７と前記基準瓦Ｍ１の上段に千鳥葺きされる上段桟瓦Ｕ２裏面の頭部３寄りの部位に設けられた裏面被係止部２４とを係止させるとともに、前記基準瓦Ｍ１の尻側に設けられたフック部１６と、前記桟瓦Ｕ２の差込部８に設けられた被係止部１９を係合させる。これにより、前記上段桟瓦は、２ヶ所で係止され、位置決めされるのである。以下同様にして横方向、上段方向に桟瓦の施工が可能となる。
【００１６】
前述のように、基準瓦Ｍ１を屋根面に対し、１枚設けることで屋根の屋根面全体に施工可能であるが、複数段施工すると屋根面のわずかな起伏や、瓦の寸法誤差によりズレが生じることがある。前記基準瓦Ｍ１に倣って複数枚の桟瓦を施工する際、ズレ防止策として図８に示すように、上段方向に数段あるいは横方向に数列施工した段階で、修正瓦桟木２８を所定の幅で屋根面に取り付けることで、この問題を解消できる。この際、修正瓦桟木２８に雨水が溜まらないように屋根面２４と修正瓦桟木２８との間でスペーサーの役割を果たす縦桟用テープ２７も所定の幅をあけて屋根面に取り付ける。次に、修正基準瓦Ｍ２の留め付けを行う。先に屋根面に取り付けた前記修正瓦桟木２８に前記修正基準瓦Ｍ２裏面の尻部突起１３ａ、１３ｂを引っ掛けて位置決めし、施工をする。このように、ある間隔をあけて、複数の基準瓦を設けることで、より美しく瓦本体を施工することが可能なのである。
【００１７】
【発明の効果】
以上詳述したように本発明に係る施工方法は、屋根面に対する瓦桟木のとめ付け工程を省略して施工性を向上させるとともに、部材の使用量を減らし環境問題についても考慮させているという優れた効果を発揮する。
【００１８】
【図面の簡単な説明】
【図１】本発明に係る防災瓦の平面図である。
【図２】前記防災瓦の正面図である。
【図３】前記防災瓦の裏面図である。
【図４】前記防災瓦の背面図である。
【図５】本発明に係る防災瓦を野地面に基準瓦として施工した状態を示す平面図である。
【図６】前記防災瓦の千鳥葺き施工状態を示す平面図である。
【図７】前記防災瓦の側面図である。
【図８】本発明に係る防災瓦を野地面に基準瓦として施工し、さらにズレ防止策として修正桟木を用いて施工した状態を示す平面図である。
【符号の説明】
１    平板瓦
２    瓦本体
３    頭部
４    尻部
５    右側縁
６    左側縁
７    被さり部
８    差込部
９    肉垂れ部
１０    平坦部
１１    尻部水返し
１２    尻部端面
１３ａ、１３ｂ    凹部
１４ａ、１４ｂ    尻部突起
１５ａ、１５ｂ    釘孔
１６    フック部
１７    表面係止部
１８    水返し
１９    被係止部
２０    水返し
２１    切込溝
２２    頭部切込
２３    裏面被係止部
２４    屋根面
２５    ルーフィング
２６    瓦桟木
２７    縦桟用テープ
２８    修正瓦桟木
Ｍ１    基準瓦
Ｍ２    修正基準瓦
Ｒ１    右隣接瓦
Ｒ２    右隣接瓦
Ｒ３    右隣接瓦
Ｌ    左隣接瓦
Ｕ１    上段桟瓦
Ｕ２    上段桟瓦
Ｕ３    上段桟瓦
Ｕ４    上段桟瓦
Ｕ５    上段桟瓦
【図１】
2004232199.tif 000003
【図２】
2004232199.tif 000004
【図３】
2004232199.tif 000005
【図４】
2004232199.tif 000006
【図５】
2004232199.tif 000007
【図６】
2004232199.tif 000008
【図７】
2004232199.tif 000009
【図８】
2004232199.tif 000010
【図９】
2004232199.tif 000011
【手続補正書】
【提出日】平成15年4月1日(2003.4.1)
【手続補正１】
【補正対象書類名】明細書
【補正対象項目名】０００２
【補正方法】変更
【補正の内容】
【０００２】
【従来の技術】明細書
【特許文献１】特開平１０−２５９６４８号公報
従来から、図９に示すように、屋根面に屋根瓦を葺くとき、いわゆる桟木引っ掛け工法が一般的に採用されている。この工法は、屋根面に杉材等の木材または樹脂材質の瓦桟木を瓦の働き長さ間隔ごとにて打ち付け、屋根瓦の裏面に設けた引っ掛け部を前記瓦桟木に引っ掛けて位置決めをして屋根瓦を屋根面に固定する施工方法である。この施工方法は、屋根瓦の位置決めが簡単でズレが生じないという効果を発揮する。


【手続補正２】
【補正対象書類名】明細書
【補正対象項目名】図面の簡単な説明
【補正方法】変更
【補正の内容】
【図面の簡単な説明】
【図１】本発明に関わる防災瓦の平面図である。
【図２】前記防災瓦の正面図である。
【図３】前記防災瓦の裏面図である。
【図４】前記防災瓦の背面図である。
【図５】本発明に係る防災瓦を野地面に基準瓦として施工した状態を示す平面図である。
【図６】前記防災瓦の千鳥葺き施工状態を示す平面図である。
【図７】前記防災瓦の側面図である。
【図８】本発明に係る防災瓦を野地面に基準瓦として施工し、さらにズレ防止策として修正桟木を用いて施工した状態を示す平面図である。
【図９】従来の桟木引っ掛け工法にて施工した状態を示す平面図である。
【符号の説明】
１    平板瓦
２    瓦本体
３    頭部
４    尻部
５    右側縁
６    左側縁
７    被さり部
８    差込部
９    肉垂れ部
１０    平坦部
１１    尻部水返し
１２    尻部端面
１３ａ、１３ｂ    凹部
１４ａ、１４ｂ    尻部突起
１５ａ、１５ｂ    釘孔
１６    フック部
１７    表面係止部
１８    水返し
１９    被係止部
２０    水返し
２１    切込溝
２２    頭部切込
２３    裏面被係止部
２４    屋根面
２５    ルーフィング
２６    瓦桟木
２７    縦桟用テープ
２８    修正瓦桟木
Ｍ１    基準瓦
Ｍ２    修正基準瓦
Ｒ１    右隣接瓦
Ｒ２    右隣接瓦
Ｒ３    右隣接瓦
Ｌ    左隣接瓦
Ｕ１    上段桟瓦
Ｕ２    上段桟瓦
Ｕ３    上段桟瓦
Ｕ４    上段桟瓦
Ｕ５    上段桟瓦


【手続補正３】
【補正対象書類名】図面
【補正対象項目名】図９
【補正方法】変更
【補正の内容】
【図９】
2004232199.tif 000012